(57)【特許請求の範囲】
【請求項１】
制御部と、
前記制御部から供給されるパルス信号を分周する分周器であって、その分周比が前記制御部から供給される分周比制御信号に基づき変更可能な分周器と、
前記分周器により分周されたパルス信号を正弦波信号に変換する変換器と、
前記変換器により生成された前記正弦波信号を前記制御部から供給される電圧制御信号に基づき増幅させて交流電圧信号を生成する増幅器と、
前記増幅器により生成された前記交流電圧信号が１次側コイルに与えられることで、２次側コイルに高圧電圧を誘起する変圧器と、
前記２次側コイルに誘起された前記高圧電圧の電圧値を検出する高圧電圧検出部と、を備え、
前記制御部は、
前記電圧制御信号の電圧値をスイープさせるとともに前記高圧電圧検出部により検出された前記高圧電圧の電圧値の変化を取得する処理を、前記分周器の分周比を変えて複数回実行し、
前記電圧制御信号の電圧値の変化と前記高圧電圧の電圧値の変化との間に比例関係が成立する前記電圧制御信号の電圧値の範囲が最大となる前記分周比を特定し、
高圧電圧を本高圧電源装置に接続された機器に供給する際に、前記特定した分周比で前記分周器を動作させる、高圧電源装置。
【請求項２】
前記分周器は、前記制御部から供給されるパルス信号を共通に受け、縦続接続される複数個のフリップフロップ回路と、前記複数のフリップフロップ回路の出力の否定論理和の出力信号を生成するＮＯＲゲートとを有し、
前記複数個のフリップフロップ回路のうち分周回路として動作する前記フリップフロップ回路の段数が前記制御部から供給される分周比制御信号により定まることで前記分周器の分周比が変更される、請求項１に記載の高圧電源装置。
【請求項３】
前記分周器は、分周回路として動作する前記フリップフロップ回路の段数が固定の第１分周部と、分周回路として動作する前記フリップフロップ回路の段数が前記分周比制御信号により変更される第２分周部と、前記第１分周部および前記第２分周部の出力の論理和の出力信号を生成するＡＮＤゲートとを有する、請求項２に記載の高圧電源装置。
【請求項４】
前記制御部は、本高圧電源装置の動作開始時に、前記分周器の分周比を特定する処理を実行するとともに、当該特定した分周比を本高圧電源装置に内蔵の記憶部に記憶させ、前記高圧電圧の供給時に、前記記憶部に記憶された分周比を読み出して当該読み出した分周比で前記分周器を動作させる、請求項１に記載の高圧電源装置。
【請求項５】
前記高圧電圧検出部により検出された前記高圧電圧の電圧値に基づき、前記電圧制御信号の電圧値を調整するフィードバック制御を行うフィードバック制御部を更に備え、
前記制御部は、前記電圧制御信号の電圧値をスイープさせるとともに前記高圧電圧の電圧値の変化を取得する処理を前記分周器の分周比を変えて複数回実行している間は、前記フィードバック制御部による前記フィードバック制御を停止させる、請求項１に記載の高圧電源装置。
【請求項６】
前記制御部は、前記高圧電圧の電圧値が飽和した際における前記電圧制御信号の電圧値を取得して、当該取得した電圧値が最大となる分周比を、前記電圧制御信号の電圧値の変化と前記高圧電圧の電圧値の変化との間に比例関係が成立する前記電圧制御信号の電圧値の範囲が最大となる分周比として特定する、請求項１に記載の高圧電源装置。
【請求項７】
請求項１乃至請求項６の何れか１項に記載の高圧電源装置を備える画像形成装置。
【発明の詳細な説明】
【技術分野】
【０００１】
本発明は、高圧電源装置および画像形成装置に関し、特に、画像形成装置に搭載される高圧電源装置において高圧電圧を制御する技術に関する。
【背景技術】
【０００２】
電子写真方式を利用した画像形成装置では、帯電装置、現像装置、転写ローラー等の多数の部品に高圧電圧を供給する必要があるため、高圧電圧を出力可能な高圧電源装置が搭載されている。当該高圧電源装置では、一般に、アンプ回路等の増幅器で生成した交流電圧信号をトランス等の変圧器で昇圧することで高圧電圧を生成している（例えば、特許文献１参照）。
【先行技術文献】
【特許文献】
【０００３】
【特許文献１】特開平７−６４６５３号公報
【発明の概要】
【発明が解決しようとする課題】
【０００４】
高圧電源装置を構成する各部品は、その製造段階で特性にばらつきが生じる場合がある。例えば、トランスの２次側コイルのインダクタンスには、１０％程度の製造ばらつきが生じる場合がある。その結果、変圧器で昇圧した高圧電圧にばらつきが生じる場合がある。
【０００５】
また、高圧電圧の制御は、増幅器に電圧制御信号を入力することで行われるが、高圧電源装置を構成する部品の特性に製造ばらつきがある場合には、電圧制御信号の電圧値の変化と高圧電圧の電圧値の変化との間に比例関係が成立する電圧制御信号の電圧値の範囲が狭くなり、高圧電圧の制御における分解能が低下するという問題がある。
【０００６】
本発明は、上記の事情に鑑みなされたものであり、高圧電源装置を構成する部品の特性に製造ばらつきがある場合であっても、優れた分解能で高圧電圧の制御を行うことを可能にすることを目的とする。
【課題を解決するための手段】
【０００７】
本発明の一局面にかかる高圧電源装置は、制御部と、前記制御部から供給されるパルス信号を分周する分周器であって、その分周比が前記制御部から供給される分周比制御信号に基づき変更可能な分周器と、前記分周器により分周されたパルス信号を正弦波信号に変換する変換器と、前記変換器により生成された前記正弦波信号を前記制御部から供給される電圧制御信号に基づき増幅させて交流電圧信号を生成する増幅器と、前記増幅器により生成された前記交流電圧信号が１次側コイルに与えられることで、２次側コイルに高圧電圧を誘起する変圧器と、前記２次側コイルに誘起された前記高圧電圧の電圧値を検出する高圧電圧検出部と、を備え、前記制御部は、前記電圧制御信号の電圧値をスイープさせるとともに前記高圧電圧検出部により検出された前記高圧電圧の電圧値の変化を取得する処理を、前記分周器の分周比を変えて複数回実行し、前記電圧制御信号の電圧値の変化と前記高圧電圧の電圧値の変化との間に比例関係が成立する前記電圧制御信号の電圧値の範囲が最大となる前記分周比を特定し、高圧電圧を本高圧電源装置に接続された機器に供給する際に、前記特定した分周比で前記分周器を動作させる、高圧電源装置である。
【０００８】
また、本発明の一局面にかかる画像形成装置は、上記の高圧電源装置を備える画像形成装置である。
【発明の効果】
【０００９】
本発明によれば、高圧電源装置を構成する部品の特性に製造ばらつきがある場合であっても、優れた分解能で高圧電圧の制御を行うことができる。
【図面の簡単な説明】
【００１０】
【図１】本発明の一実施形態にかかる画像形成装置の構造を示す断面図である。
【図２】本発明の一実施形態にかかる高圧電源装置の構造を示す図である。
【図３】本発明の一実施形態にかかる高圧電源装置の増幅器に供給される電圧制御信号の電圧値と、２次側コイルに誘起される高圧電圧の電圧値との関係を示す図である。
【図４】本発明の一実施形態にかかる高圧電源装置の記憶部に記憶される分周比と高圧電圧が飽和した際の電圧制御信号の電圧値との関係を示す図である。
【図５】本発明の一実施形態にかかる高圧電源装置の可変分周器の構成を示す図である。
【図６】本発明の一実施形態にかかる高圧電源装置の可変分周器の具体的な回路構成を示す図である
【図７】本発明の一実施形態にかかる高圧電源装置の可変分周器内を伝達する信号波形の時系列変化の一例を示す図である。
【図８】本発明の一実施形態にかかる高圧電源装置の動作の流れを示すフローチャートである。
【発明を実施するための形態】
【００１１】
以下、本発明の一実施形態にかかる高圧電源装置および画像形成装置について図面を参照して説明する。
【００１２】
図１は、本発明の一実施形態にかかる画像形成装置１の構造を示す断面図である。本発明の一実施形態にかかる画像形成装置１は、例えば、コピー機能、プリンター機能、スキャナー機能、及びファクシミリ機能のような複数の機能を兼ね備えた複合機である。
【００１３】
画像形成装置１が原稿読取動作を行う場合、原稿給送部６により給送されてくる原稿、又は原稿載置ガラス１６１に載置された原稿を原稿読取部５が光学的に読み取り、画像データを生成する。原稿読取部５により生成された画像データは、内蔵ＨＤＤ（Hard Disk Drive）又はネットワーク接続されたコンピューター等に保存される。
【００１４】
画像形成装置１が画像形成動作を行う場合は、原稿読取動作により生成された画像データ、ネットワーク接続されたコンピューターから受信した画像データ、又は内蔵ＨＤＤに記憶されている画像データ等に基づいて、画像形成部１２が、給紙部１４から給紙される記録媒体としての記録紙Ｐにトナー画像を形成する。
【００１５】
画像形成装置１は、カラー印刷が可能であり、マゼンタ用、シアン用、イエロー用、ブラック用の画像形成ユニットが設けられている。各画像形成ユニットでは、帯電装置１２３による帯電工程、露光装置１２４による露光工程、現像装置１２２による現像工程を経て、感光体ドラム１２１上にトナー画像が形成される。当該形成されたトナー画像は、１次転写ローラー１２６により駆動ローラー１２５Ａ及び従動ローラー１２５Ｂに張架されている中間転写ベルト１２５上に転写される。
【００１６】
中間転写ベルト１２５上に転写された各色のトナー画像は、転写タイミングを調整して中間転写ベルト１２５上で重ね合わされ、カラーのトナー画像となる。２次転写ローラー２１０は、中間転写ベルト１２５の表面に形成されたカラーのトナー画像を、中間転写ベルト１２５を挟んで駆動ローラー１２５Ａとのニップ部において記録紙Ｐに転写させる。この後、定着部１３が、記録紙Ｐ上のトナー画像を熱圧着により記録紙Ｐに定着させる。定着処理の完了したカラー画像形成済みの記録紙Ｐは、排出トレイ１５１に排出される。
【００１７】
画像形成装置１では、帯電装置１２３、現像装置１２２、１次転写ローラー１２６、２次転写ローラー２１０等の多数の部品に高圧電圧を供給する必要がある。このため、画像形成装置１は、これらの部品に高圧電圧を供給する高圧電源装置を備える。以下では、この高圧電源装置の構成について説明する。
【００１８】
図２は、本発明の一実施形態にかかる高圧電源装置１００の構造を示す図である。高圧電源装置１００は、制御ユニット１１０、記憶部１２０、可変分周器１３０、変換器１４０、増幅器１５０、電圧制御部１６０、変圧器１７０、および高圧電圧検出部１９０等を備えている。
【００１９】
制御ユニット１１０は、ＣＰＵ(Central Processing Unit)、ＲＡＭ（Random Access Memory）、ＲＯＭ（Read Only Memory）、入力ポート、出力ポート、および専用のハードウェア回路等から構成されている。制御ユニット１１０は、上記のＲＯＭ等に記憶されたプログラムが上記のＣＰＵに実行されることにより、高圧電源装置１００を制御する制御部として機能する。制御ユニット１１０は、可変分周器１３０、電圧制御部１６０、および高圧電圧検出部１９０等と接続されており、接続されている各部に後述する分周比制御信号ＣＮＴ、パルス信号Ｆｉｎ、電圧制御信号、フィードバック制御切替信号等の制御信号を出力する。
【００２０】
記憶部１２０は、不揮発性メモリー等の記憶装置である。
【００２１】
可変分周器１３０（分周器）は、制御ユニット１１０から供給される予め定められた周波数のパルス信号Ｆｉｎを分周して、分周後のパルス信号Ｆｏｕｔを増幅器１５０に向けて出力する分周器である。また、可変分周器１３０は、その分周比が制御ユニット１１０から供給される分周比制御信号ＣＮＴに基づき変更可能とされる。
【００２２】
変換器１４０は、例えばバンドパスフィルタ（ＢＰＦ：Band Pass Filter）であって、可変分周器１３０により分周されたパルス信号Ｆｏｕｔを正弦波信号に変換する。
【００２３】
増幅器１５０は、例えばアンプ回路であって、変換器１４０により生成された正弦波信号を増幅させて交流電圧信号を生成する。この正弦波信号の増幅は、制御ユニット１１０から電圧制御部１６０を介して供給される電圧制御信号Ｖｃｎｔに基づいて行われる。
【００２４】
変圧器１７０は、トランス１７１と、抵抗１８２およびコンデンサ１８３からなる負荷等価回路１８１とを有している。トランス１７１の一次側コイル１７２は、増幅器１５０と接続されている。増幅器１５０により生成された交流電圧信号が一次側コイル１７２に与えられることで、トランス１７１の２次側コイル１７３には、一次側コイル１７２と２次側コイル１７３との巻き数比に応じた電圧値の高圧電圧が誘起される。当該高圧電圧は、高圧電源装置１００に接続された帯電装置１２３、現像装置１２２、１次転写ローラー１２６、２次転写ローラー２１０等に供給される。
【００２５】
高圧電圧検出部１９０は、高圧電圧検知抵抗１８４に流れる電流値を測定することで、トランス１７１の２次側コイル１７３に誘起された高圧電圧の電圧値を検出する。高圧電圧検出部１９０は、当該検出した高圧電圧の電圧値を示す高圧電圧信号Ｖｈｍを制御ユニット１１０や電圧制御部１６０に出力する。
【００２６】
電圧制御部１６０は、高圧電圧検出部１９０から出力された高圧電圧信号Ｖｈｍに示される高圧電圧の電圧値に基づき、２次側コイル１７３に誘起された高圧電圧の電圧値を調整するフィードバック制御を行うフィードバック制御部として機能する。電圧制御部１６０は、制御ユニット１１０から供給される電圧制御信号Ｖｃｎｔを調整することで、２次側コイル１７３に誘起された高圧電圧の電圧値を調整する。
【００２７】
なお、電圧制御部１６０によるフィードバック制御は、制御ユニット１１０から出力されるフィードバック制御切替信号により、有効化または無効化される。電圧制御部１６０によるフィードバック制御が無効化されている時、制御ユニット１１０から出力された電圧制御信号は、電圧制御部１６０で調整されずにそのまま増幅器１５０に供給される。
【００２８】
上記の高圧電源装置１００について更に詳細に説明する。図３は、増幅器１５０に供給される電圧制御信号Ｖｃｎｔの電圧値と、２次側コイル１７３に誘起される高圧電圧の電圧値との関係を示すグラフである。図中において、一点鎖線は増幅器１５０に供給される正弦波信号の周波数がｆ１の場合を示し、２点鎖線は正弦波信号の周波数がｆ２の場合を示し、破線は正弦波信号の周波数がｆ３の場合を示し、実線は正弦波信号の周波数がｆ４の場合を示す（ｆ１＜ｆ２＜ｆ３＜ｆ４）。
【００２９】
図３を参照するに、電圧制御信号Ｖｃｎｔの電圧値と、２次側コイル１７３に誘起される高圧電圧の電圧値との間には、一般に比例関係が成立する。このため、電圧制御信号Ｖｃｎｔの電圧値を変更することで２次側コイル１７３に誘起される高圧電圧の電圧値を変更することができる。しかしながら、例えば、増幅器１５０に供給される正弦波信号の周波数がｆ１の場合、電圧制御信号Ｖｃｎｔの電圧値が約０．５Ｖ〜約２．０Ｖの範囲では、電圧制御信号Ｖｃｎｔの電圧値と高圧電圧の電圧値との間に比例関係が成立するものの、電圧制御信号Ｖｃｎｔの電圧値が約２．０Ｖ以上の範囲では、２次側コイル１７３に誘起される高圧電圧の電圧値が飽和しており比例関係が成立しない。また、増幅器１５０に供給される正弦波信号の周波数がｆ４の場合、電圧制御信号Ｖｃｎｔの電圧値が約０．５Ｖ〜約５．０Ｖの範囲で、電圧制御信号Ｖｃｎｔの電圧値と高圧電圧の電圧値との間に比例関係が成立するものの、電圧制御信号Ｖｃｎｔの電圧値を最大（５．０Ｖ）にしても、高圧電圧の電圧値が画像形成処理において必要とされる所望電圧値に到達しない。
【００３０】
高圧電源装置１００を構成する部品の特性には製造ばらつきがあるため、増幅器１５０に供給される電圧制御信号Ｖｃｎｔの電圧値と、２次側コイル１７３に誘起される高圧電圧の電圧値との正確な関係は、高圧電源装置１００が組み上がるまで不明である。例えば、増幅器１５０に供給される正弦波信号の周波数がｆ１の場合、電圧制御信号Ｖｃｎｔの電圧値が約０．５Ｖ〜約２．０Ｖの範囲で高圧電圧を制御する必要があり、高圧電圧の制御における分解能が低くなる。また、増幅器１５０に供給される正弦波信号の周波数がｆ４の場合、電圧制御信号Ｖｃｎｔを変えて高圧電圧の電圧値を画像形成処理において必要とされる所望電圧値にすることができない。
【００３１】
本発明の一実施形態にかかる高圧電源装置１００では、制御ユニット１１０から出力される予め定められた周波数のパルス信号Ｆｉｎを、変換器１４０で正弦波信号に変換して増幅器１５０に供給するのではなく、可変分周器１３０でパルス信号Ｆｉｎを分周させた後に、変換器１４０で正弦波信号に変換して増幅器１５０に供給している。可変分周器１３０は、分周比が変更可能な分周器であり、制御ユニット１１０は、分周比制御信号ＣＮＴを可変分周器１３０に出力することで、可変分周器１３０の分周比を変更させ、可変分周器１３０から出力されるパルス信号Ｆｏｕｔの周波数を調整している。
【００３２】
制御ユニット１１０は、可変分周器１３０に適した分周比を決定する動作モード（分周比決定モード）を有している。例えば、画像形成装置１の電源がＯＮされた時に、制御ユニット１１０の動作モードが分周比決定モードに遷移する。分周比決定モードにおいて、制御ユニット１１０は、可変分周器１３０に適した分周比を、高圧電圧検出部１９０から出力された高圧電圧信号Ｖｈｍに示される高圧電圧の電圧値に基づき決定する。
【００３３】
具体的には、制御ユニット１１０は、電圧制御信号Ｖｃｎｔの電圧値をスイープさせるとともに高圧電圧検出部１９０により検出された高圧電圧の電圧値の変化を取得する処理を、可変分周器１３０の分周比を変えて複数回実行する。この時、制御ユニット１１０は、高圧電圧の電圧値が飽和した際における電圧制御信号Ｖｃｎｔの電圧値を記憶部１２０に記憶させる（図４参照）。その後、制御ユニット１１０は、記憶部１２０に記憶された高圧電圧の電圧値が飽和した際における電圧制御信号Ｖｃｎｔの電圧値が最大となる分周比を特定することで、電圧制御信号Ｖｃｎｔの電圧値の変化と高圧電圧の電圧値の変化との間に比例関係が成立する電圧制御信号Ｖｃｎｔの電圧値の範囲が最大となる分周比を特定する。図４に示す例では、分周比「１９０」を、電圧制御信号Ｖｃｎｔの電圧値の変化と高圧電圧の電圧値の変化との間に比例関係が成立する電圧制御信号Ｖｃｎｔの電圧値の範囲が最大となる分周比（調整分周比）として特定する。
【００３４】
制御ユニット１１０は、上記の分周比決定処理を終えると、分周比決定モードから通常の動作モードに移行する。その後、記録紙Ｐに画像を形成する画像形成モードに移行した時、制御ユニット１１０は、分周比決定モードで決定した分周比（調整分周比）で可変分周器１３０を動作させるとともに、フィードバック制御切替信号を出力することで電圧制御部１６０によるフィードバック制御を有効化させて、高圧電圧を帯電装置１２３、現像装置１２２、１次転写ローラー１２６、２次転写ローラー２１０等に供給する。これにより、高圧電源装置１００を構成する部品の特性には製造ばらつきがある場合であっても、電圧制御信号Ｖｃｎｔの電圧値の変化と高圧電圧の電圧値の変化との間に比例関係が成立する電圧制御信号Ｖｃｎｔの電圧値の範囲が最大となるように、増幅器１５０に供給する正弦波信号の周波数を調整して高圧電源装置１００を動作させることができ、優れた分解能で高圧電圧の制御を行うことができる。
【００３５】
続いて、可変分周器１３０の具体的な構成について説明する。図５は、可変分周器１３０の構成を示す図である。図６は、可変分周器１３０の具体的な回路構成を示す図である。
【００３６】
可変分周器１３０は、第１分周部１３１、第２分周部１３２、分周比決定部１３３、および２分周部１３４を備えている。第１分周部１３１は、制御ユニット１１０から供給されるパルス信号Ｆｉｎを共通に受け、縦続接続される複数個（図６に示す例では８９個）のフリップフロップ回路１３５−Ａ、１３５−Ｂ、・・・、１３５−Ｚと、複数のフリップフロップ回路１３５の出力の否定論理和の出力信号を生成するＮＯＲゲート１３８１とを有する。このように、第１分周部１３１は、分周回路として動作するフリップフロップ回路１３５の段数が固定（図６に示す例では８９）であり、分周比が固定である。
【００３７】
第２分周部１３２は、第１分周部１３１と同様に、制御ユニット１１０から供給されるパルス信号Ｆｉｎを共通に受け、縦続接続される複数個（図６に示す例では３１個）のフリップフロップ回路１３６−Ａ、１３６−Ｂ、・・・、１３６−Ｚと、複数のフリップフロップ回路１３６の出力の否定論理和の出力信号を生成するＮＯＲゲート１３８２とを有する。第２分周部１３２では、複数個のフリップフロップ回路１３６のうち分周回路として動作するフリップフロップ回路１３６の段数が制御ユニット１１０から供給される分周比制御信号ＣＮＴにより定まることで第２分周部１３２の分周比が変更される。具体的には、各フリップフロップ回路１３６の出力信号と、各フリップフロップ回路１３６に対する分周比制御信号ＣＮＴとの論理和の出力信号を生成する複数のＡＮＤゲート１３７−Ａ、１３７−Ｂ、・・・、１３７−Ｚが設けられている。制御ユニット１１０は、例えば、フリップフロップ回路１３６−Ａに対する分周比制御信号ＣＮＴ９０としてハイレベル信号をＡＮＤゲート１３７−Ａに出力することで、フリップフロップ回路１３６−Ａを分周回路として動作させることができる。一方、制御ユニット１１０は、例えば、フリップフロップ回路１３６−Ａに対する分周比制御信号ＣＮＴ９０としてローレベル信号をＡＮＤゲート１３７−Ａに出力することで、フリップフロップ回路１３６−Ａを分周回路として動作させないことができる。このように、制御ユニット１１０は、分周比制御信号ＣＮＴにより複数個のフリップフロップ回路１３６のうち分周回路として動作するフリップフロップ回路１３６の段数を変更することで、第２分周部１３２の分周比を変更する。
【００３８】
分周比決定部１３３は、上記の第１分周部１３１の出力と第２分周部１３２の出力との論理和の出力信号を生成するＡＮＤゲート１３８３を有する。分周比決定部１３３は、第１分周部１３１の固定の分周比と第２分周部１３２の可変の分周比との和からなる分周比で、制御ユニット１１０から供給されるパルス信号Ｆｉｎを分周したパルス信号ＯＵＴ１を出力する。
【００３９】
分周比決定部１３３から出力されたパルス信号ＯＵＴ１は、フリップフロップ回路１３９を有する２分周部１３４で２分周された後、パルス信号Ｆｏｕｔとして変換器１４０に供給される。
【００４０】
図７は、可変分周器１３０内を伝達する信号波形の時系列変化の一例を示す図である。図７において、一段目はパルス信号Ｆｉｎの波形を示し、２段目はパルス信号Ｆｉｎのクロック数を示し、３段目はフリップフロップ回路（ＦＦ１）から出力される信号の波形を示し、４段目はフリップフロップ回路（ＦＦ１００）から出力される信号の波形を示し、５段目は分周比決定部１３３から出力されるパルス信号ＯＵＴ１の波形を示し、６段目は可変分周器１３０から出力されるパルス信号Ｆｏｕｔの波形を示す。また、図７は、制御ユニット１１０が、分周比制御信号ＣＮＴ９０〜ＣＮＴ９９としてハイレベル信号を出力し、分周比制御信号ＣＮＴ１００〜ＣＮＴ１１９としてローレベル信号を出力した場合、すなわち、フリップフロップ回路（ＦＦ１）〜フリップフロップ回路（ＦＦ１００）が分周回路として動作し、フリップフロップ回路（ＦＦ１０１）〜フリップフロップ回路（ＦＦ１２０）が分周回路として動作しない場合における信号波形の時系列変化を示す。
【００４１】
フリップフロップ回路（ＦＦ１）およびフリップフロップ回路（ＦＦ１００）からは、図７に示すような波形の信号が出力され、その結果、可変分周器１３０からはパルス信号Ｆｉｎが分周比２００で分周されたパルス信号Ｆｏｕｔが出力されている。
【００４２】
続いて、上記構成を備える高圧電源装置１００の動作の流れについて説明する。図８は、高圧電源装置１００による動作の流れを示すフローチャートである。制御ユニット１１０は、画像形成装置１の電源がＯＮされたか否かを判定する（ステップＳ１０）。画像形成装置１の電源がＯＮされた場合（ステップＳ１０においてＹＥＳ）、制御ユニット１１０は、動作モードを分周比決定モードにして、ステップＳ１１〜ステップＳ１９の分周比決定処理を行う。すなわち上記の処理では、高圧電源装置１００の動作開始時に、制御ユニット１１０が分周比決定処理を行っている。
【００４３】
分周比決定処理では、まず、制御ユニット１１０がフィードバック制御切替信号を電圧制御部１６０に出力して、電圧制御部１６０によるフィードバック制御を無効化する（ステップＳ１１）。
【００４４】
フィードバック制御の無効化後、制御ユニット１１０は、分周比Ｎ＝Ｎ０−Ｋとした分周比制御信号ＣＮＴを可変分周器１３０に出力する（ステップＳ１２）。なお、可変分周器１３０の基準分周比Ｎ０および分周比を変更する範囲を示す変更数Ｋは、記憶部１２０等に予め記憶されている。
【００４５】
また、制御ユニット１１０は、分周比制御信号ＣＮＴとともに、予め定められた周波数のパルス信号Ｆｉｎを可変分周器１３０に出力する（ステップＳ１３）。
【００４６】
その後、制御ユニット１１０は、電圧制御信号Ｖｃｎｔの電圧値をスイープさせて（０Ｖ〜５Ｖ）、高圧電圧検出部１９０から出力される高圧電圧信号Ｖｈｍの電圧値を取得する（ステップＳ１４）。
【００４７】
制御ユニット１１０は、ステップＳ１４で取得した高圧電圧信号Ｖｈｍの電圧値に基づき、高圧電圧信号Ｖｈｍの電圧値が飽和した際における電圧制御信号Ｖｃｎｔを決定し、当該決定した電圧制御信号Ｖｃｎｔを記憶部１２０に記憶させる（ステップＳ１５）。
【００４８】
ステップＳ１５の処理後、制御ユニット１１０は、分周比を１増加（分周比Ｎ＝Ｎ＋１）させて（ステップＳ１７）、ステップＳ１４およびステップＳ１５の処理を再度実行する。このステップＳ１４、ステップＳ１５およびステップＳ１７の処理は、分周比ＮがＮ＝Ｎ０＋Ｋとなるまで繰り返し実行される（ステップＳ１６）。
【００４９】
分周比ＮがＮ＝Ｎ０＋Ｋに到達すると（ステップＳ１６においてＹＥＳ）、制御ユニット１１０は、記憶部１２０に記憶された電圧制御信号Ｖｃｎｔを読み出して、高圧電圧信号Ｖｈｍの電圧値が飽和した際における電圧制御信号Ｖｃｎｔの電圧値が最も高い分周比を調整分周比Ｎ１として特定する（ステップＳ１８）。
【００５０】
そして、制御ユニット１１０は、ステップＳ１８の処理で特定した調整分周比Ｎ１を記憶部１２０に記憶させる（ステップＳ１９）。
【００５１】
以上のステップＳ１２〜ステップＳ１９の分周比決定処理を終えると、制御ユニット１１０は、分周比決定モードから通常の動作モードに移行する。この際、制御ユニット１１０は、フィードバック制御切替信号を電圧制御部１６０に出力して、電圧制御部１６０によるフィードバック制御を有効化する（ステップＳ２０）。
【００５２】
ステップＳ２０の処理後、制御ユニット１１０は、記録紙Ｐに画像を形成する印刷ジョブを受け付けたか否かを判定する（ステップＳ２１）。
【００５３】
印刷ジョブを受け付けた場合（ステップＳ２１においてＹＥＳ）、制御ユニット１１０が、記憶部１２０に記憶されている調整分周比Ｎ１を読み出して、分周比Ｎ＝Ｎ１分周比制御信号ＣＮＴを可変分周器１３０に出力することで（ステップＳ２２）、高圧電源装置１００が、帯電装置１２３、現像装置１２２、１次転写ローラー１２６、２次転写ローラー２１０等に高圧電圧を供給する（ステップＳ２３）。
【００５４】
なお、本発明は、上記の実施の形態の構成に限られず種々の変形が可能である。図１乃至図８を用いて上記の実施の形態により示した構成及び処理は、本発明の一実施形態に過ぎず、本発明を当該構成及び処理に限定する趣旨ではない。
【符号の説明】
【００５５】
１     画像形成装置
１００ 高圧電源装置
１１０ 制御ユニット
１２０ 記憶部
１３０ 可変分周器
１３１ 第１分周部
１３２ 第２分周部
１３３ 分周比決定部
１３４ ２分周部
１４０ 変換器
１５０ 増幅器
１６０ 電圧制御部
１７０ 変圧器
１７１ トランス
１７２ 一次側コイル
１７３ 二次側コイル
１９０ 高圧電圧検出部
【図１】
0006281517.tif 000002
【図２】
0006281517.tif 000003
【図３】
0006281517.tif 000004
【図４】
0006281517.tif 000005
【図５】
0006281517.tif 000006
【図６】
0006281517.tif 000007
【図７】
0006281517.tif 000008
【図８】
0006281517.tif 000009